(57)【要約】      （修正有）【課題】帽子に小型の振動器を組付けて構成する気晴らし器において、帽子を被って、心身のストレスを解消せしめるよう施術する際の、発汗による帽子内のむれ、および付着した汗から発生する不快な臭いの除去が効果的に行われ、また、帽子の外面側に取り付ける小型の振動器を、取り付けた位置に安定して保持せしめるようにする。【解決手段】帽子４の表生地４ｂをニットのメッシュ等の通気性の良い生地とし、裏生地４ａをマイナスイオンを放射する鉱物の粉末を人造繊維の原材料に練り込んで生成する繊維により織成する生地とし、帽子４の裾の開放口の内面に、太さを異にする多種類の繊維原糸を多層に重ね合わせ織り上げ、内側に太い毛細空間を具備し外側に細い毛細空間を具備して水分を内側から外側に向け一方向に移動させる編組織とした生地よりなる帯状体を、太い毛細空間を具備する側が帽子４の内面側となる状態として折返し縁状に装着しておく。【選択図】図６
0003105073.tif 000002
【実用新案登録請求の範囲】
【請求項１】
帽子４の表生地４ｂと裏生地４ａとの間に、通電により微振動する多数の小型の振動器３…を所定パターンに配列して組み込む気晴らし器Ａにおいて、帽子４の表生地４ｂをニットのメッシュ等の通気性の良い生地とし、裏生地４ａをマイナスイオンを放射する鉱物の粉末を人造繊維の原材料に練り込んで生成する繊維により織成する生地とし、帽子４の裾の開放口の内面に、太さを異にする多種類の繊維原糸を多層に重ね合わせ織り上げ、内側に太い毛細空間を具備し外側に細い毛細空間を具備して水分を内側から外側に向け一方向に移動させる編組織とした生地よりなる帯状体５を、太い毛細空間を具備する側が帽子４の内面側となる状態として折返し縁状に装着しておくことを特徴とする気晴らし器。
【請求項２】
帽子４の表生地４ｂを、外層側生地がニットのメッシュ生地ａで内層側生地がトリコットの平織生地ｂとからなる二層構造としたことを特徴とする請求項１記載の気晴らし器。
【請求項３】
帽子４の後面側の裾部に、帽子４の開放口の口径を拡縮させる開裂部４ｃを設け、帽子４の裾の開放口の内面に折返し縁状に設ける帯状体５の後面側を、前記開裂部４ｃにおいて切り離し、その帯状体５の一方の遊端側には面ファスナー６ａを接続し、帽子４の外面側で、帯状体５の他方の遊端側と対応する部位に、面ファスナー６ａと係合する面ファスナー６ｂを取り付けて、吸汗用の帯状体５が帽子４装着用の締付バンドとなるようにしたことを特徴とする請求項１記載の気晴らし器。
【請求項４】
帽子４の表生地４ｂと裏生地４ａとの間に介装する小型の振動器３を、樹脂材により小形の平箱状に形成したケース７０の内腔の中央部位に組み付ける小型のモータＭとそれの出力軸３１により回転する偏心重錘３２を具備するロータ３３と、ケース７０の内腔の両側部位に組み付けるバランス重錘７４・７４とにより構成して、平箱状のケース７０内に封入状態に収蔵せしめることを特徴とする請求項１記載の気晴らし器。
【請求項５】
帽子４の表生地４ｂと裏生地４ａとの間に介装する小型の振動器３を、樹脂材により小形の平箱状に形成したケース７０内に収蔵せしめ、そのケース７０を裏生地４ａの頂部に面ファスナー２ｄにより装着するＣＰＵボックス２から四周に延出して垂れ下がる帯紐状のフィルム基板１１の各先端部に、収蔵する振動器３のモータＭの接続端子がフィルム基板１１の配線と接続した状態に連続して、帽子４の裏生地４ａの外面に両端側を止着したゴムバンド７５にそのケース７０を差し込むことにより、裏生地４ａの外面に振動器３を装着することを特徴とする請求項１または請求項４記載の気晴らし器。
【請求項６】
通気性の良い生地よりなる表生地４ｂとマイナスイオンを放射する鉱物の粉末を練り込んだ人造繊維原料から生成する繊維で織成した裏生地４ａとの間に小型の振動器３…を介装した帽子４と、その帽子４を着装する前に、髪を整えるように予め被るナイトキャップ状のキャップ８とからなり、そのキャップ８を、マイナスイオン放射する鉱物の粉末を練り込んだ人造繊維原料から生成する繊維で織成した生地により形成することを特徴とする気晴らし器。
【請求項７】
通気性の良い生地よりなる表生地４ｂとマイナスイオンを放射する鉱物の粉末を練り込んだ人造繊維原料から生成する繊維で織成した裏生地４ａとの間に小型の振動器３…を介装した帽子４と、その帽子４を着装する前に、髪を整えるように予め被るナイトキャップ状のキャップ８と、帽子４を着装した後にその上から被る化粧キャップ９とからなり、そのキャップ８を、マイナスイオン放射する鉱物の粉末を練り込んだ人造繊維原料から生成する繊維で織成した生地により形成し、化粧キャップ９を、通気性の良い生地により形成することを特徴とする気晴らし器。
【考案の詳細な説明】
【技術分野】
【０００１】
本考案は、帽子の内面側または表生地と裏生地の間に、通電により微振動を発生する複数個の小型の振動器を、所定の配列パターンに並列させて取り付けておいて、ストレスがたまったときに、その帽子を被って、スイッチ操作により各振動器を一定のリズムに従い、またはランダムに微振動させて、その微振動音を頭皮を介して聴かせることで、気晴らしを行うように用いる気晴らし器についての改良に関する。
【背景技術】
【０００２】
上述の形態の気晴らし器（リラクゼーション器）には、本願の出願人が出願して実用新案登録第３０７７３４５号として登録されている構成の内容の頭部気晴らし器がある。
【０００３】
この頭部気晴らし器Ａは、図１に示しているように、人体の頭の頂部に載置する大きさの座板状に形成したフィルム基板１０に、四周に向けたこ足状に延出する複数本の帯紐状のフィルム基板１１…を接続して取付部材１を形成し、この取付部材１の座板状のフィルム基板１０に、ＣＰＵ基板を設けたＣＰＵボックス２を組み付け、帯紐状のフィルム基板１１…の各先端部には、図２および図３に示しているように、円筒状のケース３０内に小型のモータＭとそれの出力軸３１により回転する偏心重錘３２を設けたロータ３３とを組み付けて、通電によりロータ３３を回転させることで振動を発生する振動器３を構成し、この振動器３を、それの円筒状のケース３０のが外周面に設けておく嵌合溝３４・３４にフイルム基板１１の先端側に設けておく係合縁を嵌着することで組み付けておき、ＣＰＵボックス２に接続するコード２０の途中には、前述の小型のモータＭ…の各作動を制御するコントロールボックス２１を接続し、コード２０の先端に、商用電源に接続するＡＣアダプタ２２を接続しておく。
【０００４】
次に、このように振動器３…を取り付けた取付部材１を、帽子４の生地の上に、図４に示しているように被せて、面ファスナーｔなどの適宜の手段により止着し、その上に化粧キャップ９を被せて帽子４の裾の外面に設けておく面ファスナーｔと化粧キャップ９の裾の内面に設けておく面ファスナーｔとを係着して、これにより図５にあるように、気晴らし器Ａに組み立てる。
【０００５】
そして、使用するときは、帽子４を着装して、その上に化粧キャップ９を被り、帽子４と化粧キャップ９との間から引き出したコード２０の先端のＡＣアダプタ２２に設けたプラグ２３を、商用電源のコンセントに差し込み、コントロールボックス２１のスイッチを操作して、帽子４の外面に装着した小型の振動器３…を起動させることで、所定のリズム作動またはランダムな作動の微振動を、頭部の略全面に与えるようにし、これを一定時間続けることにより、心身の緊張を解きほぐすようにしているものである。
【特許文献１】実用新案登録第３０７７３４号公報
【考案の開示】
【考案が解決しようとする課題】
【０００６】
上述の形態の気晴らし器Ａは、ストレスがたまって気晴らしをしようとするときに、帽子４を着装して、その上から化粧キャップ９を被り、帽子４の外面に取り付けた多数の小型の振動器３…を通電により起動して、頭の外皮から微振動音を聴かせる状態を一定の時間継続することで、気晴らしを行うように用いることから、使用しているときに、被った帽子４の内側が、頭の外皮からの発汗により汗ばんで、むれを生じて、不快感を惹き起こすようになる問題がある。
【０００７】
また、発汗した汗が帽子４の内面に付着することで、次に使用するまで帽子４を放置したときに、付着した汗の変質により不快な臭いを発生するようになる問題がある。
【０００８】
また、頭の外面の略全面に渡る所定の配列パターンに配位して、帽子４の外面に組み付ける多数の小型の振動器３を、円筒状のケース３０内に収蔵した偏心重錘３２を小型のモータＭで高速回転させて微振動を得る構成としていることから、この小型の振動器３…が円筒状に形成されることになるので、通電により起動させたときに、それを接続した帯紐状のフィルム基板１１からずれ出して動きまわることで、断線を起し易い問題がある。
【０００９】
本考案は、従前のこの帽子に小型の振動器を組み付けて構成する形態の気晴らし器に生じている上述の問題を解消せしめるためになされたものであって、帽子４を被って、心身のストレスを解消せしめるよう施術する際の、発汗による帽子４内のむれ、および付着した汗から発生する不快な臭いの除去が効果的に行われ、また、帽子４の外面側に取り付ける小型の振動器３…を、取り付けた位置に安定して保持せしめるようにする新たな手段を提供することを目的とする。
【課題を解決するための手段】
【００１０】
上述の目的を達成するための本考案手段による気晴らし器は、帽子４の表生地４ｂと裏生地４ａとの間に、通電により微振動する多数の小型の振動器３…を所定パターンに配列して組み込む気晴らし器Ａにおいて、帽子４の表生地４ｂをニットのメッシュ等の通気性の良い生地とし、裏生地４ａをマイナスイオンを放射する鉱物の粉末を人造繊維の原材料に練り込んで生成する繊維により織成する生地とし、帽子４の裾の開放口の内面に、太さを異にする多種類の繊維原糸を多層に重ね合わせ織り上げ、内側に太い毛細空間を具備し外側に細い毛細空間を具備して水分を内側から外側に向け一方向に移動させる編組織とした生地よりなる帯状体５を、太い毛細空間を具備する側が帽子４の内面側となる状態として折返し縁状に装着しておくことを特徴とする。
【考案の効果】
【００１１】
以上説明したように、本考案による気晴らし器は、帽子４の表生地４ｂと裏生地４ａとの間に、通電により微振動する小型の振動器３…を取り付けて、帽子４を被り、リズミカルな微振動音を頭皮を介して聴かせることで、気晴らしを行うようにするに際し、帽子４の表生地４ｂを、ニットのメッシュなどの通気性の良い生地とし、裏生地４ａをマイナスイオンを放射する繊維で織成した生地とし、帽子４の開放口の内面に、吸汗性の良い生地よりなる帯状体５を折返し縁状に取り付けているのだから、発汗やむれを抑えて快適な状態で気晴らしができ、また、振動器３を平箱状のケース７０内に収蔵して帽子４に装着することから、安定した状態で、リズミカルな微振動音による気晴らしができるようになる。
【考案を実施するための最良の形態】
【００１２】
図６乃至図２０は、本考案による気晴らし器の１実施例を示している。
本考案による気晴らし器は、多数の小型の振動器３…を、人体の頭部の外面の略全面に渡り点在するよう所定のパターンに配位して、頭部の外面に倣う形状に自在に変形する布地・フィルム基板等からなる取付部材１に取り付け保持せしめ、この取付部材１を帽子４の表生地４ｂと裏生地４ａとの間に装入して帽子４を縫製することにより、この多数の小型の振動器３…を装着した帽子４に組み立てて構成することについては、図１〜図５に示している実用新案登録第３０７７３４号にある従前の頭部気晴らし器と同様に構成してよい。
【００１３】
しかし、多数の小型の振動器３…を組み付け装着する帽子４の構成については、それの表生地４ｂを、例えば、ニットのメッシュにするなど、通気性の良い布地にし、帽子を被って施術するときに頭皮からの発汗により帽子４内にこもる湿気・水分の外部への拡散放出が効果的に行われるようにする。
【００１４】
そして、裏生地４ａは、トルマリン・花崗岩・長石・石英・稀有元素鉱石等のマイナスイオンを放射する鉱物の粉末を多種類混合して、人造繊維の原材料に練り込んで生成する繊維で織成せる特殊な布地を用い、これにより、この布地から放射されるマイナスイオンにより、裏生地４ａに含浸する汗の消臭・殺菌が行われるようにする。実施例においては、マイナスイオンを放射する鉱物の６種類の粉末を、ポリエステル樹脂に混合して練り込み、それから生成した繊維を編成したポリエステルの平織生地を用いている。
【００１５】
このとき、帽子４の表生地４ｂにあっては、図６に示しているようにこれを内外の２層ａ・ｂに分け、外層側生地を、目の粗いニットのメッシュ生地ａとし、内層側生地を、トリコットの平織生地ｂとし、このニットのメッシュ生地ａとトリコットの平織生地ｂとを２層に重ねて形成する表生地４ｂにより、帽子４を被って施用する際に帽子４内にこもりがちとなる湿気・水分の外部への拡散・放出が効果的に行われるようにし、かつ、この表生地４ｂの、取付部材１に取り付け保持せしめた多数の小型の振動器３…に対する接触が、トリコットの平織生地ｂよりなる滑らかな内層側生地によって円滑に行われるようにすることが有効である。
【００１６】
そしてまた、この本考案手段による気晴らし器Ａは、帽子４を被って施用したときに、頭皮からの発汗に対する処理手段として、帽子４を被ったときの発汗が最も盛んになる額の部位が、帽子４の裾の開放口の内面側となることから、この部位に折返し縁状に設ける帯状体５を、太さを異にする多種類の繊維原糸を二層三層と多層に重ね合わせて織り上げ、内側に太い毛細状空間を具備し外側に細い毛細状空間を具備して、水分を内側から外側に向け一方向に移動させる編組織としたニット素材を用いて形成し、その帯状体５を、太い毛細状空間を具備する側が帽子４を被る頭部の外面に接着する内面側に位置し、細い毛細状空間を具備する側が帽子４の裏生地４ａの内面に接触する外面側となる状態として装着しておき、施用中に発汗してくる汗をこの帯状体５を吸収させて、それの外面側と接触する帽子４の裏生地４ａに向け移動させるようにし、これにより、帽子４を被って施用するときに発汗が集中してくる額部分の汗を効果的に吸収して帽子４の裏生地４ａからそれの外側のメッシュの表生地４ｂ側に移行させて外部に拡散放出させるようにすることが、帽子４をそれの内部にこもる水分・湿気の外部への拡散・放出を良くする構造のものとしているのを一層効果的にし得るようになる。
【００１７】
そして、また、本考案手段においては、この汗とり用として、帽子４の裾の内側に折返し縁状に装着する帯状体５は、帽子４の後面側において切り離して、図７にあるように一方の遊端側に、面ファスナー６ａを接続しておき、帽子４はそれを構成している縫い合わされた表生地４ｂと裏生地４ａとを、前述の後面側において開裂させておき、その開裂部４ｃを開くことで、内面側に折返し縁状に装着したこの帯状体５の切り離した両遊端が互いに離れて帽子４の開放口の口径を拡げるようになり、また、この状態で帽子４を被り、帯状体５の両遊端部を両手で持って、頭部を締め付けるように寄せ、面ファスナー６ａを、帽子４の裾の外面側で、開裂部４ｃを挟んで面ファスナー６ａを接続した側と反対側に縫着しておく面ファスナー６ｂの外面に接合することで、開裂部４ｃを閉じ合わせて頭部の外面に締め付けた状態となるように、この帯状体５を帽子４装着用の締付バンドに利用している。
【００１８】
また、本考案手段においては、取付部材１に取り付けて、帽子４の表生地４ｂと裏生地４ａとの間に装着する小型の振動器３は、図８および図９に示しているように、樹脂材により小さい平箱状のケース７０を形成して、このケース７０内に、小型のモータＭとそれの出力軸３１により回転する偏心重錘３２を設けたロータ３３とからなる振動器３を組み付けるようにする。
【００１９】
このとき、ケース７０は、図８にあるように、それの本体７０ａ側の内腔に、長手方向に沿う２枚の仕切壁７１・７１を、左右（図において上下）の両側に寄せた部位にそれぞれ設けて、内腔を少し巾の広い中央室７２と、巾の狭い左右の両側室７３・７３とに区画し、その中央室７２に、小型のモータＭと、それの出力軸３１により回転する偏心重錘３２を設けたロータ３３とを、それの軸方向がケース７０の長手方向に沿う姿勢として組み付け、左右の両側室７３・７３には、軸杆状に形成したバランス重錘７４・７４を嵌入させて組み付け、これに、ケース７０の本体７０ａと同様に形成した蓋体７０ｂを接合して閉じ合わせることで、内部に小型の振動器３を組み込んだ平箱状のケース７０に組み立てられるようにしてある。
【００２０】
この小型の振動器３を収蔵せしめた平箱状のケース７０は、取付部材１に取り付け保持せしめて帽子４の裏生地４ａの外面側に装着する。
【００２１】
この取付部材１は、この実施例においては、図１０にあるように座板状に形成してＣＰＵ回路を設けた座板状のフィルム基板１０と、図１１・図１２・図１３に示しているように帯紐状に形成したフィルム基板１１・１１・１１とからなり、それの座板状のフィルム基板１０に、図１４に示している如く、平箱状に形成して内部にＣＰＵＩＣを組み込んだＣＰＵボックス２を、それの本体側２ａと底体側２ｂとに２分して、それらをＣＰＵＩＣフィルム基板１０を上下から挟着するように閉じ合わせ、このとき、座板状のフィルム基板１０に各帯紐状のフィルム基板１１…が接続する状態とし、閉じ合わせたＣＰＵボックス２の底体２ｂの外面に、面ファスナー２ｃを貼着しておいて、これを、帽子４の裏生地４ａの頂部に縫着しておく面ファスナー２ｄ・２ｄに係着させることで図１５にあるように帽子４の裏生地４ａの外面側に取り付ける。
【００２２】
そして、前述した小型の振動器３を収蔵せしめた平箱状のケース７０は、それを本体７０ａと蓋体７０ｂとに分離させ、帽子４の裏生地４ａの頂部に係着せしめたＣＰＵボックス２から延出して垂れ下がる帯紐状のフィルム基板１１…の各先端を上下から挟み込ませ、収蔵せるモータＭの接続端子がフィルム基板１１にプリントした配線と接続する状態として閉じ合わせることで、フイルム基板１１に連続させ、この状態において、そのケース７０を、帽子４の裏生地４ａの外面に両端を縫着しておくゴムバンド７５に差し込むことで、図１５にあるよう裏生地４ａの外面に装着するようにしている。
【００２３】
図１６は、気晴らし器Ａを構成する帽子４と別体に形成したキャップ８を示し、マイナスイオンを放射する稀土類の鉱物の４種類の鉱物粉末を練り込んだ原糸により編成したレーヨンのニット生地により、裾にゴム紐８０を通したナイトキャップ状に形成してあり、気晴らし器Ａを構成する帽子４を被る前に、髪の毛を束ねるように被っておき、その上に帽子４を被って頭に装着するように使用する。
【００２４】
また、図１７は、帽子４を頭に着装して気晴らし器Ａを施用しているときに、他人と対面する際の見苦しさを避けるために、着装した帽子４の上から被る化粧キャップ９を示している。この化粧キャップ９は通気性の良い帽子４の表生地４ｂとして用いたニットのメッシュよりなる生地で、トルコ帽状に形成してある。
【００２５】
次に図１８は、コード２０に接続して設けたコントロールボックス２１を示す。これには、電源スイッチ２１０とスタートスイッチ２１１とが設けてあり、また、内部には、図１９に示しているように、タイマー回路２１２・スイッチング電源部２１３・作動プログラム切替部２１４、充電電池２１５、充電回路２１６が組み込まれている。
【００２６】
そして、このコントロールボックス２１は、同図１９にあるように、取付部材１の座板状のフィルム基板１０に組み付けるＣＰＵボックス２内のＣＰＵ回路２１５および振動器３に接続し、また、ＡＣアダプタ２２と接続している。
【００２７】
また、図２０は、上述の如く構成して組み立てた気晴らし器Ａの縦断面を示し、同図において、４は表生地４ｂと裏生地４ａとからなる帽子、２はＣＰＵボックス、２ａはＣＰＵボックス２の本体側、２ｂはＣＰＵボックス２の底体側、１０は本体側２ａと底体側２ｂとの間に挟持させた座板状のフィルム基板、１１は帯紐状のフィルム基板、３は振動器、７０は振動器３を組み付けたケース、７５はケース７０を保持させるゴムバンド、ｃはＣＰＵボックス２を挟み付けるクリップ、４ｃは帽子４の裾に設けた開裂部、５は帽子４の裾に設けた帯状体、９は帽子４の上に被る化粧キャップである。
【図面の簡単な説明】
【００２８】
【図１】従前の頭部気晴らし器に組み付ける従前の小型の振動器の組み付け前の状態の説明図である。
【図２】同上の小型の振動器の縦断側面図である。
【図３】同上振動器の縦断正面図である。
【図４】従前の頭部気晴らし器の組立工程の説明図である。
【図５】同上の頭部気晴らし器の全体の斜視図である。
【図６】本考案手段による気晴らし器の一部破断した斜視図である。
【図７】同上の帽子の後面側から見た一部破断した斜視図である。
【図８】同上の小型の振動器部分の横断平面図である。
【図９】同上の小型の振動器部分の縦断正面図である。
【図１０】同上の座板状のフィルム基板の平面図である。
【図１１】同上の帯紐状のフィルム基板の平面図である。
【図１２】同上の帯紐状のフィルム基板の平面図である。
【図１３】同上の帯紐状のフィルム基板の平面図である。
【図１４】同上の小型の振動器を取付部材に組み付けた状態の裏面側から見た斜視図である。
【図１５】同上の小型の振動器を帽子の裏生地に取り付けた状態の斜視図である。
【図１６】同上の帽子を着装する前に被るキャップの斜視図である。
【図１７】同上の帽子の着装後に被る化粧キャップの斜視図である。
【図１８】同上のコントロールボックスの平面図である。
【図１９】同上の電気回路の展開図である。
【図２０】組立てた気晴らし器の縦断正面図である。
【符号の説明】
【００２９】
Ａ…気晴らし器、Ｍ…モータ、ａ…ニットのメッシュ生地、ｂ…トリコットの平織生地、ｃ…クリップ、ｔ…面ファスナー、１…取付部材、１０…座板状のフィルム基板、１１…帯紐状のフィルム基板、２…ＣＰＵボックス、２ａ…本体側、２ｂ…底体側、２ｃ…面ファスナー、２ｄ…面ファスナー、２０…コード、２１…コントロールボックス、２１０…電源スイッチ、２１１…スタートスイッチ、２１２…タイマー回路、２１３…スイッチング電源部、２１４…作動プログラム切替部、２１５…充電電池、２１６…充電回路、２２…ＡＣアダプタ、２３…プラグ、３…振動器、３０…円筒状のケース、３１…出力軸、３２…偏心重錘、３３…ロータ、３４…嵌合溝、４…帽子、４ａ…裏生地、４ｂ…表生地、４ｃ…開裂部、４０…ファスナー、４１…開口、５…帯状体、６ａ…面ファスナー、６ｂ…面ファスナー、７０…ケース、７０ａ…本体、７０ｂ…蓋体、７１…仕切壁、７２…中央室、７３…両側室、７４…バランス重錘、７５…ゴムバンド、８…キャップ、８０…ゴム紐、９…化粧キャップ。
【図１】
0003105073.tif 000003
【図２】
0003105073.tif 000004
【図３】
0003105073.tif 000005
【図４】
0003105073.tif 000006
【図５】
0003105073.tif 000007
【図６】
0003105073.tif 000008
【図７】
0003105073.tif 000009
【図８】
0003105073.tif 000010
【図９】
0003105073.tif 000011
【図１０】
0003105073.tif 000012
【図１１】
0003105073.tif 000013
【図１２】
0003105073.tif 000014
【図１３】
0003105073.tif 000015
【図１４】
0003105073.tif 000016
【図１５】
0003105073.tif 000017
【図１６】
0003105073.tif 000018
【図１７】
0003105073.tif 000019
【図１８】
0003105073.tif 000020
【図１９】
0003105073.tif 000021
【図２０】
0003105073.tif 000022